【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
カメラシステムを仮想的に操作させる仮想操作部と、
前記カメラシステムを構成する各部品の性能及び光学特性を記録した記憶装置部と、
前記カメラシステムで所定の被写体を撮影して得られる撮影画像のシミュレーション画像を求める画像シミュレーション部と、
前記シミュレーション画像を表示する表示部とからなり、
前記画像シミュレーション部は、前記仮想的に操作されたカメラシステムの各操作部の現在の状態と前記各部品の光学特性とに基づいて前記シミュレーション画像を求めることを特徴とする撮影シミュレーションシステム。
【請求項２】
請求項１において、
前記仮想的に操作されたカメラシステムの各操作部の状態を示す撮影条件表を更に備え、
前記撮影条件表は前記仮想的操作の内容に基づいて更新されると共に、前記画像シミュレーション部は前記各操作部の現在の状態を前記撮影条件表を参照して求めることを特徴とする撮影シミュレーションシステム。
【請求項３】
請求項１において、
前記画像シミュレーション部は、前記仮想的に操作されたカメラシステムの各操作部の現在の状態と前記各部品の光学特性とに基づいて前記カメラシステムのファインダ視野のシミュレーション画像を更に求め、
前記表示部は前記ファインダ視野のシミュレーション画像を更に表示することを特徴とする撮影シミュレーションシステム。
【請求項４】
請求項３において、
前記ファインダ視野のシミュレーション画像は常時表示されると共に、前記撮影画像のシミュレーション画像は前記カメラシステムのシャッタボタンが仮想的に操作されたときに表示され、前記カメラシステムの巻き上げレバーが仮想的に操作されたときに消去されることを特徴とする撮影シミュレーションシステム。
【請求項５】
請求項３において、
前記ファインダ視野のシミュレーション画像は常時表示されると共に、前記撮影画像のシミュレーション画像は前記カメラシステムのシャッタボタンが仮想的に操作されたときに前記記録装置部に記録されることを特徴とする撮影シミュレーションシステム。
【請求項６】
請求項５において、
前記撮影画像のシミュレーション画像は前記カメラシステムのシャッタボタンが仮想的に操作されたときには表示されないことを特徴とする撮影シミュレーションシステム。
【請求項７】
請求項３において、
前記記憶装置部は被写体として三次元コンピュータモデルのデータを更に記憶し、
前記画像シミュレーション部は前記三次元コンピュータモデルのデータを用いてシミュレーション画像を求めることを特徴とする撮影シミュレーションシステム。
【請求項８】
請求項３において、
前記記憶装置部は被写体として実在するものを撮影したデジタル画像のデータと前記実在するものの奥行き寸法情報とを更に記憶し、
前記画像シミュレーション部は前記デジタル画像のデータと前記奥行き寸法情報とを用いてシミュレーション画像を求めることを特徴とする撮影シミュレーションシステム。
【請求項９】
請求項７〜請求項８において、
前記各部品の光学特性には撮影レンズの各絞り値に対する被写界深度特性が含まれ、前記画像シミュレーション部は前記仮想的操作としての撮影レンズの絞り操作に応じて、前記シミュレーション画像を前記被写界深度特性に基づいて変化させることを特徴とする撮影シミュレーションシステム。
【請求項１０】
請求項９において、
前記画像シミュレーション部は、前記仮想的操作としての撮影レンズの距離環操作に応じて、前記シミュレーション画像の合焦状態を変化させることを特徴とする撮影シミュレーションシステム。
【請求項１１】
請求項７〜請求項８において、
前記各部品の光学特性にはレンズフィルタの光学特性が含まれることを特徴とする撮影シミュレーションシステム。
【請求項１２】
請求項１において、
前記カメラシステムを構成する部品を選択させる選択部と、
前記選択部において選択された前記部品によって前記カメラシステムのコンピュータモデルを作成するモデル構築部とを更に備え、
前記コンピュータモデルを前記表示部に表示すると共に、前記仮想操作部による操作に応じて前記コンピュータモデルの状態を変化させることを特徴とする撮影シミュレーションシステム。
【請求項１３】
請求項１２において、
前記選択部は、前記カメラシステムを構成する部品以外の部品を追加選択させ、前記モデル構築部は、所定の操作に応じて前記コンピュータモデルの構成部品及び前記追加選択された部品とから選択された部品によってカメラシステムのコンピュータモデルを再構築することを特徴とする撮影シミュレーションシステム。
【請求項１４】
請求項１２又は１３において、
前記選択部と前記仮想操作部と前記表示部とは第１のコンピュータシステムに備えられ、
前記記憶装置部と画像シミュレーション部と前記モデル構築部とは第２のコンピュータシステムに備えられ、
前記第１のコンピュータシステムと前記第２のコンピュータシステムとは情報の授受を可能とする通信手段によって結ばれていることを特徴とする撮影シミュレーションシステム。
【手続補正２】
【補正対象書類名】明細書
【補正対象項目名】０００１
【補正方法】変更
【補正の内容】
【０００１】
【発明の属する技術分野】
本発明は、写真撮影の体験シミュレーションに関し、特にインターネットを介した体験シミュレーションに関する。
【手続補正３】
【補正対象書類名】明細書
【補正対象項目名】０００６
【補正方法】変更
【補正の内容】
【０００６】
【課題を解決するための手段】
上記目的を達成する本発明は、カメラシステムを仮想的に操作させる仮想操作部と、前記カメラシステムを構成する各部品の性能及び光学特性を記録した記憶装置部と、前記カメラシステムで所定の被写体を撮影して得られる撮影画像のシミュレーション画像を求める画像シミュレーション部と、前記シミュレーション画像を表示する表示部とからなり、前記画像シミュレーション部は、前記仮想的に操作されたカメラシステムの各操作部の現在の状態と前記各部品の光学特性とに基づいて前記シミュレーション画像を求めることを特徴とする撮影シミュレーションシステムである。
【手続補正４】
【補正対象書類名】明細書
【補正対象項目名】０００７
【補正方法】変更
【補正の内容】
【０００７】
詳細にいうと、前記カメラシステムの各操作部の状態を示す撮影条件表を更に備え、前記撮影条件表は前記仮想的操作の内容に基づいて更新されると共に、前記画像シミュレーション部は前記各操作部の現在の状態を得るために前記撮影条件表を参照する。そして、前記画像シミュレーション部は、前記仮想的に操作されたカメラシステムの各操作部の現在の状態と前記各部品の光学特性とに基づいて前記カメラシステムのファインダ視野のシミュレーション画像を更に求め、前記表示部は前記ファインダ視野のシミュレーション画像を更に表示する。
【手続補正５】
【補正対象書類名】明細書
【補正対象項目名】０００８
【補正方法】変更
【補正の内容】
【０００８】
また、前記ファインダ視野のシミュレーション画像は常時表示されると共に、前記撮影画像のシミュレーション画像は前記カメラシステムのシャッタボタンが仮想的に操作されたときに表示され、前記カメラシステムの巻き上げレバーが仮想的に操作されたときに消去される、又は前記撮影画像のシミュレーション画像は前記カメラシステムのシャッタボタンが仮想的に操作されたときに前記記録装置部に記録されることを特徴とする撮影シミュレーションシステムである。後者の場合、前記撮影画像のシミュレーション画像は前記カメラシステムのシャッタボタンが仮想的に操作されたときには表示されないようにしても良い。
【手続補正６】
【補正対象書類名】明細書
【補正対象項目名】０００９
【補正方法】変更
【補正の内容】
【０００９】
更に、前記記憶装置部は被写体として三次元コンピュータモデルのデータを更に記憶し、前記画像シミュレーション部は前記三次元コンピュータモデルのデータを用いてシミュレーション画像を求める。又は、前記記憶装置部は被写体として実在するものを撮影したデジタル画像のデータと前記実在するものの奥行き寸法情報とを更に記憶し、前記画像シミュレーション部は前記デジタル画像のデータと前記奥行き寸法情報とを用いてシミュレーション画像を求める。
【手続補正７】
【補正対象書類名】明細書
【補正対象項目名】００１０
【補正方法】変更
【補正の内容】
【００１０】
また更に、前記システムにおいて、前記カメラシステムを構成する部品を選択させる選択部と、前記選択部において選択された前記部品によってカメラシステムのコンピュータモデルを作成するモデル構築部とを更に備え、前記コンピュータモデルを前記表示部に表示すると共に、前記仮想操作部による操作に応じて前記コンピュータモデルの状態を変化させることが好ましい。
前記選択部は、前記カメラシステムを構成する部品以外の部品を追加選択させ、前記モデル構築部は、所定の操作に応じて前記コンピュータモデルの構成部品及び前記追加選択された部品とから選択された部品によってカメラシステムのコンピュータモデルを再構築することを特徴とする撮影シミュレーションシステムである。
【手続補正８】
【補正対象書類名】明細書
【補正対象項目名】００１１
【補正方法】変更
【補正の内容】
【００１１】
そして、前記選択部と前記仮想操作部と前記表示部とは第１のコンピュータシステムに備えられ、前記記憶装置部と画像シミュレーション部と前記モデル構築部とは第２のコンピュータシステムに備えられ、前記第１のコンピュータシステムと前記第２のコンピュータシステムとは情報の授受を可能とする通信手段によって結ばれていることを特徴とする撮影シミュレーションシステムである。